(57)【要約】      （修正有）【課題】軽量で根腐れを生じず、屋上緑化用にも用いることができる自動給水プランターを提供する。【解決手段】プランター本体１内に小石収容部７を形成してここに小石８を敷き詰め、その上でプランター本体１内に土２６を盛り、植物２７を植える。自動給水装置１８にはスプリングで無負荷時には給水口を閉塞し、給水皿１０上に水容器１３を逆さにしてセットすると水ストッパーが開いて給水皿１０内に給水が行われる。給水皿１０内の水は給水穴１２から小石収容部７内に給水されて小石８間に保水される。土２６には、この保水により水分が含浸し、植物２７はその根から水分を吸収する。【選択図】図１
2010068735.tif 000002
【特許請求の範囲】
【請求項１】
ａ．プランター本体内底面部中央において、左右の側壁間に一定の幅を空けて二枚の仕切り壁を設けることにより小石収容部を形成し、この小石収容部内に小石を敷き詰めたこと、
ｂ．前記プランター本体の小石収容部内及びプランター本体内全体に土を盛ったこと、
ｃ．前記プランター本体の側壁であって、前記小石収容部の外側に給水穴を形成し、この給水穴の外に給水皿を水平に取り付けたこと、
ｄ．前記給水皿上には、水容器を逆さにして取り付け、この水容器の口には前記給水皿に先端が接するとスプリングに抗して水ストッパーが上昇して前記給水口を開いて水容器内の水を給水皿から給水穴を経由して小石収容部内に給水する自動給水装置を設けたこと、
ｅ．を特徴とする自動給水プランター。  
【請求項２】
ａ．プランター本体内底面部中央において、左右の側壁間に一定の幅を空けて二枚の仕切り壁を設けることにより仕切壁間に小石収容部を形成し、この小石収容部内に小石を敷き詰めたこと、
ｂ．前記プランター本体の小石収容部内及びプランター本体内全体に土を盛ったこと、
ｃ．前記プランター本体の小石収容部の側壁の外に自動給水装置を取り付けたこと、
ｄ．前記自動給水装置は、下室に貯水室を形成し、この貯水室の上に仕切りを介して給
水室を形成すると共に前記仕切りには上下を連通する給水孔を形成し、この給水孔には貯水室内に設けたフロートにより給水孔を開閉するバルブを取り付け、前記貯水室と前記小石収容部間の側壁には給水穴を設けた構成となっていること、
ｅ．前記自動給水装置の給水室には分岐ホースが接続されていて、この分岐ホースは、
給水槽から延長された給水ホースに接続されていること、
ｆ．前記自動給水装置付のプランター本体は、前記給水ホースに対して分岐ホースを介して複数接続されていること、
ｇ．を特徴とする自動給水プランター。
【発明の詳細な説明】
【技術分野】
【０００１】
本発明は、草花あるいは観葉植物あるいは野菜とか豆類等の植物を栽培するための自動給水プランターに関するものである。
【従来の技術】
【０００２】
植物の栽培には給水が必要であるが、これには手間がかかり、また適量の給水を行うにはそれなりに知識が必要である。
【０００３】
そこで、自動的に給水を行う所謂自動給水植木鉢とかポットの提案が多数行われているが、手間がかからず、製造コストが安く、特に屋上緑化等に用いることができるように工夫した自動給水プランターの提案は少ない。
【０００４】
例えば、特開２００４−８１１６７号公報には、「夏場や留守中に水やりを行わなくとも、簡単に植物体や気象に合った適量の給水をおこなうことができ、植物体の根グサレ等の心配がなく植物体の成長を促進することができる容器として、植物栽培部（１ｂ）と給水用タンク（２）の受け部として又は自ら給水用タンクとして機能する給水部（１ａ）とを有し、給水部（１ａ）と植物栽培部（１ｂ）の間には連通水路（１０）が形成され、給水部（１ａ）から植物栽培部（１ｂ）へ、大気圧と水圧とのバランスを利用して一定した水位まで水が供給される構造を有し、該植物栽培部（１ｂ）は、上層（３）に培地、下層（５）に液溜、上層と下層の間の中層（４）に空気層が存するように構成され、該培地と該空気層の間には少なくとも部分的に通気性があり、該培地と該液溜の双方に接する態様で吸水体（８）が少なくとも部分的に設置されてなる底面吸水式栽培容器」が紹介されている。
【０００５】
また特開２００５−４０００９号公報には、「鉢植えの給水に於いて、通常シャワー・如雨露等で、手間をかけて行っていたのを、簡単な方法で、水を無駄にする事無く給水出来、あらゆる植物の給水に適合出来る構造の鉢セットとして、鉢本体１に給水の為の外部接続口５を設け、給水タンク３を簡単に脱着出来る様にした構造の鉢セットである。給水タンク３の液面レベルに応じて鉢内の土の自己浸透作用で全般に吸水される様になっていて、植物が消費した分、蒸発等で減った分の水のみが補給される様になっている。また、給水タンク３にペットボトル等の補助タンク１０を追加する事により、補給水量の増量と、給水タンク３の液面レベルを一定に保つ事が出来る。また、補助タンク１０に接続する部品に、セット高さを調整出来る構造を追加する事により、給水タンク３の液面レベルを変えることが出来、土の吸水量が調整出来る」という内容の給水装置が紹介されている。
【特許文献１】特開２００４−８１１６７号
【特許文献２】特開２００５−４０００９号
【発明の開示】
【発明が解決しようとする課題】
【０００６】
しかし、上記公知例の場合、自動給水の目的は達成しているが、植物の根が自由に生長し、かつ根腐れを生じさせず、屋上緑化のようにある程度規模が大きい栽培装置に適用可能な自動給水プランターではない。
【０００７】
本発明の目的は、自動給水プランターにおいて、植物の根の生長を促進させて生育を助長し、かつ根腐れを生じず、屋上緑化のようなある程度規模の大きい用途にも適用可能な自動給水プランターを提供することである。
【課題を解決するための手段】
【０００８】
上記目的を達成するため、請求項１に記載の発明においては、自動給水プランターにお
いて、プランター本体内底面部中央において、左右の側壁間に一定の幅を空けて二枚の仕
切り壁を設けることにより小石収容部を形成し、この小石収容部内に小石を敷き詰めたこ
と、前記プランター本体の小石収容部内及びプランター本体内全体に土を盛ったこと、前
記プランター本体の側壁であって、前記小石収容部の外側に給水穴を形成し、この給水穴
の外に給水皿を水平に取り付けたこと、前記給水皿上には、水容器を逆さにして取り付け
、この水容器の口には前記給水皿に先端が接するとスプリングに抗して水ストッパーが上
昇して前記給水口を開いて水容器内の水を給水皿から給水穴を経由して小石収容部内に給
水する自動給水装置を設けたことを特徴とするものである。
【０００９】
更に、請求項２に記載の発明においては、自動給水プランターにおいて、プランター
本体内底面部中央において、左右の側壁間に一定の幅を空けて二枚の仕切り壁を設けるこ
とにより仕切壁間に小石収容部を形成し、この小石収容部内に小石を敷き詰めたこと、前
記プランター本体の小石収容部内及びプランター本体内全体に土を盛ったこと、前記プラ
ンター本体の小石収容部の側壁の外に自動給水装置を取り付けたこと、前記自動給水装置
は、下室に貯水室を形成し、この貯水室の上に仕切りを介して給水室を形成すると共に前
記仕切りには上下を連通する給水孔を形成し、この給水孔には貯水室内に設けたフロート
により給水孔を開閉するバルブを取り付け、前記貯水室と前記小石収容部間の側壁には給
水穴を設けた構成となっていること、前記自動給水装置の給水室には分岐ホースが接続さ
れていて、この分岐ホースは、給水槽から延長された給水ホースに接続されていること、
前記自動給水装置付のプランター本体は、前記給水ホースに対して分岐ホースを介して複
数接続されていることを特徴とするものである。
【発明の効果】
【００１０】
本発明における自動給水プランターは、プランター本体内の中央に小石収容部を形成し、ここに小石を多く敷き詰め、その上で土をプランター本体内に盛った。
【００１１】
この結果、保水率を高く保ちながら、植物の根に直接水が触れて根腐れを生じることがないと共に小石収容部をプランター本体の中央部に集中させることにより、プランターの重量を軽減し、特に屋上緑化に用いた際に重量が負担となることはない効果がある。
【００１２】
更に、本発明によると次の効果がある。
１．水は常に循環していて滞留する部分が少ないので、藻、微生物、細菌の発生が少なく、清掃等の手間が少なくて済む。
２．また、構造が簡単で、コンパクトで安価に出来る。特に屋上緑化では軽量化が求められる為、適している（土表面迄の高さ８ｃｍ程度以下も可能）。
３．また、植物の根側に直接水分を供給するので、土表面からの蒸発が少なく、排水口から水が流失することも少ないので、節水効果がある。
【実施例１】
【００１３】
本実施例１は、請求項１に記載の発明に対応するもので、図１〜図３に基づいて詳細に説明する。
【００１４】
符号の１は、天面２を開放し、底部４に脚３を形成したプランター本体であって、硬質の樹脂で成形されている。
【００１５】
５、５ａは、前記プランター本体１の内底面４ａにおいて、対向する左右の側壁６、６ａ間に形成された仕切壁であって、この仕切壁５、５ａ間には小石収容部７が形成されていて、ここには小石８が均一に敷き詰められている。
【００１６】
９、９ａは前記小石収容部７の仕切壁５、５ａの外であって、内底面４ａに形成された排水口である。
【００１７】
１０は、前記プランター本体１において、小石収容部７と対向する側壁６の外に形成された給水皿であって、この給水皿１０と前記小石収容部７間の側壁６には、給水皿１０内と小石収容部７間を連通する給水穴１２が設けられている。
【００１８】
１３は、前記給水皿１０上において、下向きに取り付けられた水容器であって、この水容器１３の下向きの口１４にはネジ１５を介してキャップ１６が取り付けられていると共にこのキャップ１６には給水口１７が設けられていて、この給水口１７には水ストッパー１９とこの水ストッパー１９を常時閉方向に賦熱しているコイルスプリング２０及び抜け防止用ピン２１から成る自動給水装置１８が取り付けられている。この自動給水装置１８は、水ストッパー１９の軸部２２の先端２３が給水皿１０の底に接して押し上げられると、水ストッパー１９はコイルスプリング２０に抗して上昇し、給水口１７を開放して水容器１３内の水を給水口１７から注水皿１０へ給水し、この水は給水穴１２から小石収容部７内に給水される。
【００１９】
２４は、プランター本体１内の底面４ａにおいて、小石収容部７の外の部分において底面４ａを覆う程度に浅く敷かれた小石、２５は水容器１３をプランター本体１の側壁６において支えている支持環であって、この支持環２５は側壁６に対して着脱自在に取り付けられている。
【００２０】
図１、２において、２６はプランター本体１内に盛った土、２７はこの土に植栽した植物であって、水容器１３内の水は、水ストッパー１９が開放した給水口１７から給水皿１０内に流下し、給水穴１２を経由して小石収容部７内に入り、小石８間に浸透し、土２６内に浸透して行く。
【００２１】
植物２７の根２７ａは、土２６に浸透した水分を吸収し、生長する。
【００２２】
前記給水皿１０から小石収容部７内に流入した水は、小石８間において水位を形成し、この水位が前記水容器１３の給水口１７のレベルになると水位の上昇が止り、水位がこの給水口１７より下がるとこの下がった分の水が給水されることにより、自動給水が行われる。
【実施例２】
【００２３】
本実施例２は、請求項２に記載した発明に対応しており、図４〜図８に基づいて詳細に説明する。
【００２４】
プランター本体１の構成は実施例１と同一のため、同一の符号を付してその詳細な説明は省略する。
【００２５】
実施例１との相違点は、自動給水装置の構成とプランター本体１を連続して繋ぐことにより規模の大きい屋上緑化等に利用するのに適した構成である。
【００２６】
本実施例２ではプランター本体１は１ａ、１ｂ、１ｃと三連構造となっていて、図４、５に示すように、蓋５１付の水槽５０から給水ホース５２が延長されていて、この給水ホース５２の先端は最後のプランター本体１ｃの自動給水装置５３に結ばれ、途中のプランター本体１ａ、１ｂには三方ジョイント５４ａから分岐ホース５４を経由して給水装置５３に結ばれている。
【００２７】
各プランター本体１ａ、１ｂ、１ｃに取り付けられた自動給水装置５３は、図６〜図８に示すように、小石収容部７内の水位が反映する貯水室５７と、前記分岐ホース５４が結ばれた給水室５６と、この給水室５６と前記貯水室５７とを上下に区画する仕切り５８と、この仕切り５８に設けられた給水口５９とこの給水口５９を貯水室５７側（下側）から閉塞自在のバルブ６０と、このバルブ６０を下から支え、貯水室５７内の水面に浮かんでいるフロート６１から成り、小石収容部７内の水位が下がるとフロート６１が下降してバルブ６０を開いて給水穴１２から小石収容室７内に給水を行ない、水位が上がるとフロート６１が上昇してバルブ６０が閉じる構造となっていて、すべてのプランター本体１ａ、１ｂ、１ｃの自動給水装置５３はこの作用で自動給水を行う。
【産業上の利用の可能性】
【００２８】
１．草花の植栽
２．観葉植物の植栽
３．野菜類の植栽
４．豆類の植栽
【図面の簡単な説明】
【００２９】
【図１】実施例１に記載のプランターの説明図
【図２】Ａ−Ａ´線断面図
【図３】自動給水装置の説明図
【図４】実施例２に記載の三連式プランターの説明図（平面図）
【図５】図４の正面図
【図６】実施例２の自動給水装置の説明図
【図７】給水装置の正面図
【図８】水位が下がりフロートが下降してバルブが開いた状態の説明図
【符号の説明】
【００３０】
１．プランター本体
７．小石収容部
８．小石
１３．水容器
１８．自動給水装置
２６．土
２７．植物
５０．水槽
５２．給水ホース
５３．自動給水装置
５４．分岐ホース
５６．給水室
５７．貯水室
６０．バルブ
６１．フロート
【図１】
2010068735.tif 000003
【図２】
2010068735.tif 000004
【図３】
2010068735.tif 000005
【図４】
2010068735.tif 000006
【図５】
2010068735.tif 000007
【図６】
2010068735.tif 000008
【図７】
2010068735.tif 000009
【図８】
2010068735.tif 000010